(57)【要約】【解決課題】天井高さが低い部屋においても、上段で寝ている人が天井による圧迫感を受け難く、且つ、下段で寝ている人が上段の敷き寝具の載置部による圧迫感を受け難い２段ベッドを提供すること。【解決手段】上段の敷き寝具の載置部と、下段の敷き寝具の載置部と、有し、  平面視において、該上段の敷き寝具の載置部の設置位置と該下段の敷き寝具の載置部の設置位置が、横方向にずれており、且つ、上段の敷き寝具の載置部の横幅（Ａ１）に対する下段の敷き寝具の載置部のうち上段の敷き寝具の載置部とは重なっていない部分の横幅（Ｂ１）の割合が４０〜１００％であること、を特徴とする２段ベッド。【選択図】図１
2019126449.tif 000002
【特許請求の範囲】
【請求項１】
上段の敷き寝具の載置部と、下段の敷き寝具の載置部と、有し、
平面視において、該上段の敷き寝具の載置部の設置位置と該下段の敷き寝具の載置部の設置位置が、横方向にずれており、且つ、上段の敷き寝具の載置部の横幅（Ａ１）に対する下段の敷き寝具の載置部のうち上段の敷き寝具の載置部とは重なっていない部分の横幅（Ｂ１）の割合が４０〜１００％であること、
を特徴とする２段ベッド。
【請求項２】
前記上段の敷き寝具の載置部の高さと前記下段の敷き寝具の載置部の高さとの差が３００〜１０００ｍｍであることを特徴とする請求項１記載の２段ベッド。
【請求項３】
前記上段の敷き寝具の載置部の横幅（Ａ１）に対する下段の敷き寝具の載置部のうち上段の敷き寝具の載置部とは重なっていない部分の横幅（Ｂ１）の割合が６０〜８０％であることを特徴とする請求項１又は２いずれか１項記載の２段ベッド。
【請求項４】
上段の敷き寝具の載置部と、下段の敷き寝具の載置部と、有し、
平面視において、該上段の敷き寝具の載置部と該下段の敷き寝具の載置部が、縦方向にずれており、且つ、上段の敷き寝具の載置部の縦幅（Ａ２）に対する下段の敷き寝具の載置部のうち上段の敷き寝具の載置部とは重なっていない部分の縦幅（Ｂ２）の割合が３０〜１００％であること、
を特徴とする２段ベッド。
【請求項５】
前記上段の敷き寝具の載置部の高さと前記下段の敷き寝具の載置部の高さとの差が３００〜１０００ｍｍであることを特徴とする請求項４記載の２段ベッド。
【請求項６】
前記上段の敷き寝具の載置部の縦幅（Ａ２）に対する下段の敷き寝具の載置部のうち上段の敷き寝具の載置部とは重なっていない部分の縦幅（Ｂ２）の割合が５０〜７０％であることを特徴とする請求項４又は５いずれか１項記載の２段ベッド。 
【発明の詳細な説明】
【技術分野】
【０００１】
本発明は、高さが異なる敷き寝具の載置部を有する２段ベッドに関する。
【背景技術】
【０００２】
部屋に２つのベッドを設置すると、空きスペースが小さくなってしまうため、狭い部屋には、寝床を上下に重ねる２段ベッドが、従来より用いられている。
【０００３】
図１０及び図１１に、従来の寝床を上下に重なる２段ベッドを示す。従来型２段ベッド４０は、敷き寝具の載置部の高さが異なる上段寝床板４１及び下段寝床板４３の２つの寝床板からなる。従来型２段ベッド４０では、上段寝床板面４２及び下段寝床板面４４が、マットレス等の敷き寝具の載置部である。この従来型２段ベッド４０では、平面視において、上段寝床板面４２と下段寝床板面４４は、完全に重なっている。
【０００４】
そのため、従来型２段ベッドでは、２つの寝床を設けながらも、ベッドが占める面積を小さくして、部屋の空きスペースを大きくすることができる。
【発明の概要】
【発明が解決しようとする課題】
【０００５】
しかしながら、従来型２段ベッド４０においては、下段で寝ている人が体を起こしたときに、頭が上段寝床板４１に当たらないように、あるいは、寝ているときに上段寝床板４１による圧迫感を受けないように、上段寝床板面４２と下段寝床板面４４との高さの差４５を大きく採る必要がある。
【０００６】
そして、従来型２段ベッド４０では、上段寝床板面４２と下段寝床板面４４との高さの差４５を大きく採ると、上段寝床板面４２の位置が高くなってしまうため、天井高さが低い部屋に設置した場合には、上段寝床板面４２が天井に近くなり過ぎて、上段で寝ている人が、天井による圧迫感を受けてしまうという問題があった。
【０００７】
従って、本発明の目的は、天井高さが低い部屋においても、上段で寝ている人が天井による圧迫感を受け難く、且つ、下段で寝ている人が上段の敷き寝具の載置部による圧迫感を受け難い２段ベッドを提供することにある。
【課題を解決するための手段】
【０００８】
上記課題は、以下に示す本発明により解決される。
すなわち、本発明（１）は、上段の敷き寝具の載置部と、下段の敷き寝具の載置部と、有し、
平面視において、該上段の敷き寝具の載置部の設置位置と該下段の敷き寝具の載置部の設置位置が、横方向にずれており、且つ、上段の敷き寝具の載置部の横幅（Ａ１）に対する下段の敷き寝具の載置部のうち上段の敷き寝具の載置部とは重なっていない部分の横幅（Ｂ１）の割合が４０〜１００％であること、
を特徴とする２段ベッドを提供するものである。
【０００９】
また、本発明（２）は、前記上段の敷き寝具の載置部の高さと前記下段の敷き寝具の載置部の高さとの差が３００〜１０００ｍｍであることを特徴とする（１）の２段ベッドを提供するものである。
【００１０】
また、本発明（３）は、前記上段の敷き寝具の載置部の横幅（Ａ１）に対する下段の敷き寝具の載置部のうち上段の敷き寝具の載置部とは重なっていない部分の横幅（Ｂ１）の割合が６０〜８０％であることを特徴とする（１）又は（２）いずれかの２段ベッドを提供するものである。
【００１１】
また、本発明（４）は、上段の敷き寝具の載置部と、下段の敷き寝具の載置部と、有し、
平面視において、該上段の敷き寝具の載置部と該下段の敷き寝具の載置部が、縦方向にずれており、且つ、上段の敷き寝具の載置部の縦幅（Ａ２）に対する下段の敷き寝具の載置部のうち上段の敷き寝具の載置部とは重なっていない部分の縦幅（Ｂ２）の割合が３０〜１００％であること、
を特徴とする２段ベッドを提供するものである。
【００１２】
また、本発明（５）は、前記上段の敷き寝具の載置部の高さと前記下段の敷き寝具の載置部の高さとの差が３００〜１０００ｍｍであることを特徴とする（４）の２段ベッドを提供するものである。
【００１３】
また、本発明（６）は、前記上段の敷き寝具の載置部の縦幅（Ａ２）に対する下段の敷き寝具の載置部のうち上段の敷き寝具の載置部とは重なっていない部分の縦幅（Ｂ２）の割合が５０〜７０％であることを特徴とする（４）又は（５）いずれかの２段ベッドを提供するものである。
【発明の効果】
【００１４】
本発明によれば、天井高さが低い部屋においても、上段で寝ている人が天井による圧迫感を受け難く、且つ、下段で寝ている人が上段寝床板による圧迫感を受け難い２段ベッドを提供することすることができる。
【図面の簡単な説明】
【００１５】
【図１】本発明の第一の形態の２段ベッドの形態例の模式的な斜視図である。
【図２】図１に示す２段ベッド１０を横から見た図である。
【図３】図１に示す２段ベッド１０を上から見た図である。
【図４】図２のＸ−Ｘ線端面図である。
【図５】図１に示す２段ベッド１０の上段の敷き寝具の載置部及び下段の敷き寝具の載置部を示した図である。
【図６】本発明の第二の形態の２段ベッドの形態例を横から見た模式図である。
【図７】図６に示す２段ベッド１０ａの上段の敷き寝具の載置部及び下段の敷き寝具の載置部を示した図である。
【図８】本発明の第一の形態の２段ベッドの形態例の模式的な斜視図である。
【図９】図８のＸ−Ｘ線断面図である。
【図１０】従来型２段ベッドの模式的な斜視図である。
【図１１】図１０に示す従来型２段ベッド４０を横から見た図である。
【発明を実施するための形態】
【００１６】
本発明の第一の形態の２段ベッドは、上段の敷き寝具の載置部と、下段の敷き寝具の載置部と、有し、
平面視において、該上段の敷き寝具の載置部の設置位置と該下段の敷き寝具の載置部の設置位置が、横方向にずれており、且つ、上段の敷き寝具の載置部の横幅（Ａ１）に対する下段の敷き寝具の載置部のうち上段の敷き寝具の載置部とは重なっていない部分の横幅（Ｂ１）の割合が４０〜１００％であること、
を特徴とする２段ベッドである。
【００１７】
本発明の第一の形態の２段ベッドについて、図１〜図５を参照して説明する。図１は、本発明の第一の形態の２段ベッドの形態例の模式的な斜視図である。図２は、図１に示す２段ベッド１０を横から見た図である。図３は、図１に示す２段ベッド１０を上から見た図である。図４は、図２のＸ−Ｘ線端面図である。図５は、図１に示す２段ベッド１０の上段の敷き寝具の載置部及び下段の敷き寝具の載置部を示した図である。なお、図３では、下段寝床板３の上段寝床側の輪郭を点線２０で示した。また、図４では、転落防止柵１５及び転落防止柵１６の記載を省略した。
【００１８】
図１〜図３に示すように、２段ベッド１０は、上段寝床板１と、上段寝床板１を下から支持する上段寝床板支持部材５１、５２と、下段寝床板３と、下段寝床板３を支持する下段寝床板支持部材６と、上段寝床板１の下段寝床側の端部近傍に設置される転落防止柵１５と、下段寝床板３の上に設置され、上段に上るためのステップ９と、下段寝床板３の下段寝床とは反対側の端部近傍に設置される転落防止柵１６と、からなる。２段ベッド１０では、上段寝床板１の上面が上段の敷き寝具の載置部２であり、また、下段寝床板３の上面が下段の敷き寝具の載置部４である。上段の敷き寝具の載置部２には、マットレス７が載置され、また、下段の敷き寝具の載置部４には、マットレス８が載置される。符号１１、符号１２、符号１３は、２段ベッドが設置される部屋の壁面を指す。
【００１９】
図４及び図５に示すように、上段寝床板１と下段寝床板３とは、上下に異なる高さ、且つ、平面視において、横方向２１にずれるように設置されている。そのため、２段ベッド１０は、高さが異なる２つの敷き寝具の載置部、すなわち、上段の敷き寝具の載置部２と、下段の敷き寝具の載置部４と、を有し、且つ、平面視において、下段の敷き寝具の載置部４と上段の敷き寝具の載置部２が、横方向２１にずれている。
【００２０】
上段の敷き寝具の載置部２及び下段の敷き寝具の載置部４は、上段の敷き寝具の載置部２の高さと下段の敷き寝具の載置部４との高さの差２７を設けて配置されている。
【００２１】
平面視において、下段の敷き寝具の載置部４には、上段の敷き寝具の載置部２と重なっている部分１７と、上段の敷き寝具の載置部２とは重なっていない部分１８とが存在する。そして、２段ベッド１０では、上段の敷き寝具の載置部２の横幅（Ａ１）に対する下段の敷き寝具の載置部４のうち上段の敷き寝具の載置部２とは重なっていない部分１８の横幅（Ｂ１）の割合（図５中、（符号２４の長さ／符号２３の長さ）×１００）が、４０〜１００％である。
【００２２】
本発明の第一の形態の２段ベッドは、上段の敷き寝具の載置部と、下段の敷き寝具の載置部と、有し、
平面視において、前記上段の敷き寝具の載置部の設置位置と前記下段の敷き寝具の載置部の設置位置が、横方向にずれており、且つ、上段の敷き寝具の載置部の横幅（Ａ１）に対する下段の敷き寝具の載置部のうち上段の敷き寝具の載置部とは重なっていない部分の横幅（Ｂ１）の割合が４０〜１００％であること、
を特徴とする２段ベッドである。
【００２３】
本発明の第一の形態の２段ベッドは、高さが異なる２つの敷き寝具の載置部、すなわち、上段の敷き寝具の載置部と下段の敷き寝具の載置部とを有する。本発明の第一の形態の２段ベッドに係る上段の敷き寝具の載置部及び下段の敷き寝具の載置部とは、マットレス、敷布団等が載置される部分を指す。
【００２４】
上段の敷き寝具の載置部及び下段の敷き寝具の載置部の形成方法としては、特に制限されず、例えば、上面が上段の敷き寝具の載置部となる上段寝床板及び上面が下段の敷き寝具の載置部となる下段寝床板を所定の位置に設置する方法；上段の敷き寝具の載置位置及び下段の敷き寝具の載置位置に複数のパイプ、板材、角材等を取り付ける方法などが挙げられる。
【００２５】
本発明の第一の形態の２段ベッドでは、平面視において、上段の敷き寝具の載置部の設置位置と下段の敷き寝具の載置部の設置位置が、横方向にずれている。そのため、下段の敷き寝具の載置部には、平面視において、上段の敷き寝具の載置部と重なっている部分と、上段の敷き寝具の載置部とは重なっていない部分とが存在する。本発明の第一の形態の２段ベッドでは、上段の敷き寝具の載置部の設置位置と下段の敷き寝具の載置部の設置位置が、横方向にずれていることにより、上段の敷き寝具の載置部の高さと下段の敷き寝具の載置部の高さの差が小さくても、下段の寝床の上方に、上段の敷き寝具の載置部による圧迫感を受けないような解放部分を形成させることができる。
【００２６】
そして、本発明の第一の形態の２段ベッドでは、上段の敷き寝具の載置部の横幅（Ａ１）に対する下段の敷き寝具の載置部のうち上段の敷き寝具の載置部とは重なっていない部分の横幅（Ｂ１）の割合（（Ｂ１／Ａ１）×１００）が、４０〜１００％、好ましくは６０〜８０％である。上段の敷き寝具の載置部の横幅（Ａ１）に対する下段の敷き寝具の載置部のうち上段の敷き寝具の載置部とは重なっていない部分の横幅（Ｂ１）の割合が、４０〜１００％、好ましくは６０〜８０％であることにより、上段の敷き寝具の載置部の高さと下段の敷き寝具の載置部の高さの差が小さくても、下段の寝床の上方に、上段の敷き寝具の載置部による圧迫感を受けない適切な解放部分が形成されるので、上段の敷き寝具の載置部の高さと下段の敷き寝具の載置部の高さの差を小さくすることができる。そのため、本発明の第一の形態の２段ベッドでは、２段ベッドが占める面積を大きくし過ぎることなく、且つ、天井高さが低い部屋においても、上段で寝ている人が天井による圧迫感を受け難く、且つ、下段で寝ている人が上段の敷き寝具の載置部による圧迫感を受け難い。
【００２７】
また、本発明の第一の形態の２段ベッドでは、上段の敷き寝具の載置部の設置位置と下段の敷き寝具の載置部の設置位置が、横方向にずれており、且つ、上段の敷き寝具の載置部の横幅（Ａ１）に対する下段の敷き寝具の載置部のうち上段の敷き寝具の載置部とは重なっていない部分の横幅（Ｂ１）の割合（（Ｂ１／Ａ１）×１００）が、４０〜１００％、好ましくは６０〜８０％であることにより、下段で寝ている人が上段の敷き寝具の載置部による圧迫感を受け難くできるため、上段の敷き寝具の載置部の高さを低くすることができるので、上段へ上がる手段として、階段を用いることができる。一方、従来型の２段ベッドでは、平面視において、上段の敷き寝具の載置部の設置位置が下段の敷き寝具の載置部の設置位置に完全に重なっているため、上段の敷き寝具の載置部の高さを低くすることができないので、上段へ上がる手段を階段にすると、階段の全長が長くなる。そのため、従来型の２段ベッドでは、上段へ上がる手段として、階段を用いることができず、はしごを用いる必要がある。
【００２８】
また、本発明の第一の形態の２段ベッドでは、上段の敷き寝具の載置部の設置位置と下段の敷き寝具の載置部の設置位置が、横方向にずれており、且つ、上段の敷き寝具の載置部の横幅（Ａ１）に対する下段の敷き寝具の載置部のうち上段の敷き寝具の載置部とは重なっていない部分の横幅（Ｂ１）の割合（（Ｂ１／Ａ１）×１００）が、４０〜１００％、好ましくは６０〜８０％であることにより、下段で寝ている人が上段の敷き寝具の載置部による圧迫感を受け難くできるため、上段の敷き寝具の載置部の高さを低くすることができるので、上段の寝床の高さと下段の寝床の高さの差が小さくなる。加えて、本発明の第一の形態の２段ベッドでは、下段の敷き寝具の載置部の設置位置が横方向にずれている。そのため、本発明の第一の形態の２段ベッドでは、上段の寝床まで上がることなく、下段の寝床の上から、上段の寝床のベッドメーキングをすることができる。一方、従来型の２段ベッドでは、上段の敷き寝具の載置部の設置位置と下段の敷き寝具の載置部の設置位置が完全に重なっているため、上段の敷き寝具の載置部の高さを低くすることができないので、上段の寝床の位置が高い。加えて、従来型の２段ベッドでは、上段の敷き寝具の載置部の設置位置と下段の敷き寝具の載置部の設置位置が完全に重なっているため、上段の寝床のベッドメーキングを、下段の寝床の上にいながらすることはできない。そのため、従来型の２段ベッドでは、上段の寝床に上がらなければ、ベッドメーキングをすることができない。
【００２９】
本発明の第一の形態の２段ベッドにおいて、上段の敷き寝具の載置部の高さと下段の敷き寝具の載置部の高さとの差は、好ましくは３００〜１０００ｍｍ、特に好ましくは５００〜８００ｍｍである。上段の敷き寝具の載置部の高さと下段の敷き寝具の載置部の高さとの差が、上記範囲にあることにより、天井高さが低い部屋においても、上段で寝ている人が天井による圧迫感を受け難く、且つ、下段で寝ている人が上段寝床板による圧迫感を受け難い。
【００３０】
本発明の第二の形態の２段ベッドは、上段の敷き寝具の載置部と、下段の敷き寝具の載置部と、有し、
平面視において、該上段の敷き寝具の載置部の設置位置と該下段の敷き寝具の載置部の設置位置が、縦方向にずれており、且つ、上段の敷き寝具の載置部の縦幅（Ａ２）に対する下段の敷き寝具の載置部のうち上段の敷き寝具の載置部とは重なっていない部分の縦幅（Ｂ２）の割合が３０〜１００％であること、
を特徴とする２段ベッドである。
【００３１】
本発明の第二の形態の２段ベッドについて、図６及び図７を参照して説明する。図６は、本発明の第二の形態の２段ベッドの形態例を横から見た模式図である。図７は、図６に示す２段ベッド１０ａの上段の敷き寝具の載置部及び下段の敷き寝具の載置部を示した図である。
【００３２】
図６に示すように、２段ベッド１０ａは、上段寝床板１ａと、上段寝床板１ａを下から支持する上段寝床板支持部材５２ａと、下段寝床板３ａと、下段寝床板３ａを支持する下段寝床板支持部材６ａと、上段寝床板１ａの長手側の端部近傍に設置される転落防止柵１５ａと、上段寝床板１ａの下段寝床側の端部近傍に設置される転落防止板２９ａと、上段に上るためのステップ９ａと、下段寝床板３ａの長手側の端部近傍に設置される転落防止柵１６ａと、からなる。２段ベッド１０ａでは、下段寝床板支持部材６ａは、上段寝床板１ａの支持部材ともなっている。上段寝床板１ａの上面が上段の敷き寝具の載置部２ａであり、また、下段寝床板３ａの上面が下段の敷き寝具の載置部４ａである。上段の敷き寝具の載置部２ａには、マットレス７ａが載置され、また、下段の敷き寝具の載置部４ａには、マットレス８ａが載置される。なお、図７では、下段寝床板３ａの上段寝床側の輪郭を点線２０ａで示した。
【００３３】
上段寝床板１ａと下段寝床板３ａとは、上下に異なる高さ、且つ、図７に示すように、平面視において、縦方向２２にずれるように設置されている。そのため、２段ベッド１０ａは、高さが異なる２つの敷き寝具の載置部、すなわち、上段の敷き寝具の載置部２ａと、下段の敷き寝具の載置部４ａと、を有し、且つ、平面視において、下段の敷き寝具の載置部４ａと上段の敷き寝具の載置部２ａが、縦方向２２にずれている。
【００３４】
上段の敷き寝具の載置部２ａ及び下段の敷き寝具の載置部４ａは、上段の敷き寝具の載置部２ａと下段の敷き寝具の載置部４ａとに高さの差を設けて配置されている。
【００３５】
平面視において、下段の敷き寝具の載置部４ａには、上段の敷き寝具の載置部２ａと重なっている部分１７ａと、上段の敷き寝具の載置部２ａとは重なっていない部分１８ａとが存在する。そして、２段ベッド１０ａでは、上段の敷き寝具の載置部２ａの縦幅（Ａ２）に対する下段の敷き寝具の載置部４ａのうち上段の敷き寝具の載置部２ａとは重なっていない部分１８ａの横幅（Ｂ２）の割合（図７中、（符号２６の長さ／符号２５の長さ）×１００）が、３０〜１００％である。
【００３６】
本発明の第二の形態の２段ベッドは、上段の敷き寝具の載置部と、下段の敷き寝具の載置部と、有し、
平面視において、該上段の敷き寝具の載置部と該下段の敷き寝具の載置部が、縦方向にずれており、且つ、上段の敷き寝具の載置部の縦幅（Ａ２）に対する下段の敷き寝具の載置部のうち上段の敷き寝具の載置部とは重なっていない部分の縦幅（Ｂ２）の割合が３０〜１００％であること、
を特徴とする２段ベッドである。
【００３７】
本発明の第二の形態の２段ベッドは、高さが異なる２つの敷き寝具の載置部、すなわち、上段の敷き寝具の載置部と下段の敷き寝具の載置部とを有する。本発明の第二の形態の２段ベッドに係る上段の敷き寝具の載置部及び下段の敷き寝具の載置部とは、マットレス、敷布団等が載置される部分を指す。
【００３８】
上段の敷き寝具の載置部及び下段の敷き寝具の載置部の形成方法としては、特に制限されず、例えば、上面が上段の敷き寝具の載置部となる上段寝床板及び上面が下段の敷き寝具の載置部となる下段寝床板を所定の位置に設置する方法；上段の敷き寝具の載置位置及び下段の敷き寝具の載置位置に複数のパイプ、板材、角材等は取り付ける方法などが挙げられる。
【００３９】
本発明の第二の形態の２段ベッドでは、平面視において、上段の敷き寝具の載置部の設置位置と下段の敷き寝具の載置部の設置位置が、縦方向にずれている。そのため、下段の敷き寝具の載置部には、平面視において、上段の敷き寝具の載置部と重なっている部分と、上段の敷き寝具の載置部とは重なっていない部分とが存在する。本発明の第二の形態の２段ベッドでは、上段の敷き寝具の載置部の設置位置と下段の敷き寝具の載置部の設置位置が、縦方向にずれていることにより、上段の敷き寝具の載置部の高さと下段の敷き寝具の載置部の高さの差が小さくても、下段の寝床の上方に、上段の敷き寝具の載置部による圧迫感を受けないような解放部分を形成させることができる。
【００４０】
そして、本発明の第二の形態の２段ベッドでは、上段の敷き寝具の載置部の縦幅（Ａ２）に対する下段の敷き寝具の載置部のうち上段の敷き寝具の載置部とは重なっていない部分の縦幅（Ｂ２）の割合（（Ｂ２／Ａ２）×１００）が、３０〜１００％、好ましくは５０〜７０％である。上段の敷き寝具の載置部の縦幅（Ａ２）に対する下段の敷き寝具の載置部のうち上段の敷き寝具の載置部とは重なっていない部分の縦幅（Ｂ２）の割合が、３０〜１００％、好ましくは５０〜７０％であることにより、上段の敷き寝具の載置部の高さと下段の敷き寝具の載置部の高さの差が小さくても、下段の寝床の上方に、上段の敷き寝具の載置部による圧迫感を受けない適切な解放部分が形成されるので、上段の敷き寝具の載置部の高さと下段の敷き寝具の載置部の高さの差を小さくすることができる。そのため、本発明の第二の形態の２段ベッドでは、２段ベッドが占める面積を大きくし過ぎることなく、且つ、天井高さが低い部屋においても、上段で寝ている人が天井による圧迫感を受け難く、且つ、下段で寝ている人が上段の敷き寝具の載置部による圧迫感を受け難い。
【００４１】
また、本発明の第二の形態の２段ベッドでは、上段の敷き寝具の載置部の設置位置と下段の敷き寝具の載置部の設置位置が、縦方向にずれており、且つ、上段の敷き寝具の載置部の縦幅（Ａ２）に対する下段の敷き寝具の載置部のうち上段の敷き寝具の載置部とは重なっていない部分の縦幅（Ｂ２）の割合（（Ｂ２／Ａ２×１００）が、３０〜１００％、好ましくは５０〜７０％であることにより、下段で寝ている人が上段の敷き寝具の載置部による圧迫感を受け難くできるため、上段の敷き寝具の載置部の高さを低くすることができるので、上段へ上がる手段として、階段を用いることができる。一方、従来型の２段ベッドでは、上段の敷き寝具の載置部の設置位置と下段の敷き寝具の載置部の設置位置が完全に重なっているため、上段の敷き寝具の載置部の高さを低くすることができないので、上段へ上がる手段を階段にすると、階段の全長が長くなる。そのため、従来型の２段ベッドでは、上段へ上がる手段として、階段を用いることができず、はしごを用いる必要がある。
【００４２】
本発明の第二の形態の２段ベッドにおいて、上段の敷き寝具の載置部の高さと下段の敷き寝具の載置部の高さとの差は、好ましくは３００〜１０００ｍｍ、特に好ましくは５００〜８００ｍｍである。上段の敷き寝具の載置部の高さと下段の敷き寝具の載置部の高さとの差が、上記範囲にあることにより、天井高さが低い部屋においても、上段で寝ている人が天井による圧迫感を受け難く、且つ、下段で寝ている人が上段の敷き寝具の載置部による圧迫感を受け難い。
【００４３】
なお、本発明において、横方向とは、平面視における上段の敷き寝具の載置部及び下段の敷き寝具の載置部の短手方向を指し、また、縦方向とは、平面視における上段の敷き寝具の載置部及び下段の敷き寝具の載置部の長手方向を指す。また、本発明において、上段の敷き寝具の載置部の横幅（Ａ１）とは、平面視において、下段の敷き寝具の載置部と上段の敷き寝具の載置部が横方向にずれている形態について、平面視における上段の敷き寝具の載置部の横方向の長さを指し、また、下段の敷き寝具の載置部のうち上段の敷き寝具の載置部とは重なっていない部分の横幅（Ｂ１）とは、平面視において、下段の敷き寝具の載置部と上段の敷き寝具の載置部が横方向にずれている形態について、平面視における下段の敷き寝具の載置部のうち上段の敷き寝具の載置部とは重なっていない部分の横方向の長さを指す。また、本発明において、上段の敷き寝具の載置部の縦幅（Ａ２）とは、平面視において、下段の敷き寝具の載置部と上段の敷き寝具の載置部が縦方向にずれている形態について、平面視における上段の敷き寝具の載置部の縦方向の長さを指し、また、下段の敷き寝具の載置部のうち上段の敷き寝具の載置部とは重なっていない部分の縦幅（Ｂ２）とは、平面視において、下段の敷き寝具の載置部と上段の敷き寝具の載置部が縦方向にずれている形態について、平面視における下段の敷き寝具の載置部のうち上段の敷き寝具の載置部とは重なっていない部分の縦方向の長さを指す。
【００４４】
本発明の第一の形態の２段ベッド及び本発明の第二の形態の２段ベッドでは、上段の敷き寝具の載置部の下側且つ下段の敷き寝具の載置部の横側に、空間が生じるため、その空間を収納スペースとして利用することができる。例えば、図１に示す形態例では、上段寝床板支持部材５１と上段寝床板支持部材５２と上段寝床板１とに囲まれている空間が、収納スペース２８となる。
【００４５】
また、図８及び図９に示す形態例の２段ベッド１０ｂでは、横方向（上段の短手方向）に延びる上段寝床板支持部材５３ｂが、縦方向（上段の長手方向）に複数設けられ、その上段寝床板支持部材５３ｂに、棚板部材３１ｂを付設することにより、下段の寝床側に開口する収納スペース３０ｂが設けられている。
【００４６】
図８及び図９に示すように、２段ベッド１０ｂは、上段寝床板１ｂと、上段寝床板１ｂを下から支持する上段寝床板支持部材５３ｂと、下段寝床板３ｂと、下段寝床板３ｂを支持する下段寝床板支持部材６ｂと、上段寝床板１ｂの下段寝床側の端部近傍に設置される転落防止柵１５ｂと、下段寝床板３ｂの上に設置され、上段に上るためのステップ９ｂと、下段寝床板３ｂの下段寝床とは反対側の端部近傍に設置される転落防止柵１６ｂと、からなる。２段ベッド１０ｂでは、上段寝床板１ｂの上面が上段の敷き寝具の載置部２ｂであり、また、下段寝床板３ｂの上面が下段の敷き寝具の載置部４ｂである。上段の敷き寝具の載置部２ｂには、マットレス７ｂが載置され、また、下段の敷き寝具の載置部４ｂには、マットレス８ｂが載置される。符号１１、符号１２、符号１３は、２段ベッドが設置される部屋の壁面を指す。なお、図９では、転落防止柵１５ｂ及び転落防止柵１６ｂの記載を省略した。
【００４７】
図８及び図９に示すように、上段寝床板１ｂと下段寝床板３ｂとは、上下に異なる高さ、且つ、平面視において、横方向（図５中の符号２１に相当する。）にずれるように設置されている。そのため、２段ベッド１０ｂは、高さが異なる２つの敷き寝具の載置部、すなわち、上段の敷き寝具の載置部２ｂと、下段の敷き寝具の載置部４ｂと、を有し、且つ、平面視において、下段の敷き寝具の載置部４ｂと上段の敷き寝具の載置部２ｂが、横方向（図５中の符号２１に相当する。）にずれている。
【００４８】
上段の敷き寝具の載置部２ｂ及び下段の敷き寝具の載置部４ｂは、上段の敷き寝具の載置部２ｂの高さと下段の敷き寝具の載置部４ｂの高さに差を設けて配置されている。
【００４９】
平面視において、下段の敷き寝具の載置部４ｂには、上段の敷き寝具の載置部２ｂと重なっている部分と、上段の敷き寝具の載置部２とは重なっていない部分とが存在する。そして、２段ベッド１０ｂでは、上段の敷き寝具の載置部２ｂの横幅（Ａ１）に対する下段の敷き寝具の載置部４ｂのうち上段の敷き寝具の載置部２ｂとは重なっていない部分の横幅（Ｂ１）の割合が、４０〜１００％である。
【００５０】
このように、本発明の第一の形態の２段ベッドは、上段の敷き寝具の載置部の下側且つ下段の敷き寝具の載置部の横側に、上段の敷き寝具の載置部の短手側に開口する収納スペースを有することができ、あるいは、上段の敷き寝具の載置部の下側且つ下段の敷き寝具の載置部の横側に、下段の敷き寝具の載置部側に開口する収納スペースを有することができる。また、本発明の第二の形態の２段ベッドは、上段の敷き寝具の載置部の下側且つ下段の敷き寝具の載置部の横側に、上段の敷き寝具の載置部の長手側に開口する収納スペースを有することができる。
【００５１】
本発明の第一の形態の２段ベッド及び本発明の第二の形態の２段ベッドは、上段の敷き寝具の載置部の周囲又は下段の敷き寝具の載置部の周囲に、転落防止用の柵、板等の転落防止手段を有することができる。
【００５２】
本発明の第一の形態の２段ベッド及び本発明の第二の形態の２段ベッドは、上段の寝床に上るための階段を有することができる。
【符号の説明】
【００５３】
１、１ａ、１ｂ  上段寝床板
２、２ａ、２ｂ  上段寝床板面
３、３ａ、３ｂ  下段寝床板
４、４ａ、４ｂ  下段寝床板面
６、６ａ、６ｂ  下段寝床板支持部材
７、７ａ、７ｂ、８、８ａ、８ｂ  マットレス
９、９ａ、９ｂ  階段
１０、１０ａ、１０ｂ  ２段ベッド
１１、１２、１３  壁面
１５、１５ａ、１５ｂ、１６、１６ａ、１６ｂ  転落防止柵
１７、１７ａ  下段の敷き寝具の載置部のうち、上段の敷き寝具の載置部とは重なっている部分
１８、１８ａ  下段の敷き寝具の載置部のうち、上段の敷き寝具の載置部とは重なっていない部分
２０、２０ａ  下段寝床板の上段寝床側の輪郭
２１        横方向
２２        縦方向
２３        平面視における上段の敷き寝具の載置部の横幅（Ａ１）
２４        下段の敷き寝具の載置部のうち上段の敷き寝具の載置部とは重なっていない部分の横幅（Ｂ１）
２５        平面視における上段の敷き寝具の載置部の縦幅（Ａ２）
２６        下段の敷き寝具の載置部のうち上段の敷き寝具の載置部とは重なっていない部分の縦幅（Ｂ２）
２７        上段の敷き寝具の載置部の高さと下段の敷き寝具の載置部の高さの差
２８、３０ｂ  収納スペース
２９ａ      転落防止板
３１ｂ      棚板部材
５１、５２  上段寝床板支持部材
【図１】
2019126449.tif 000003
【図２】
2019126449.tif 000004
【図３】
2019126449.tif 000005
【図４】
2019126449.tif 000006
【図５】
2019126449.tif 000007
【図６】
2019126449.tif 000008
【図７】
2019126449.tif 000009
【図８】
2019126449.tif 000010
【図９】
2019126449.tif 000011
【図１０】
2019126449.tif 000012
【図１１】
2019126449.tif 000013